(57)【要約】      （修正有）【課題】木質系プレハブハウスについて、高い構造体強度を備えたものとしながら、専門的技術を要することなく組立て及び解体を短時間で行えるようにする。【解決手段】木材を長方形の平板状にしたパネルが短径方向に複数並列した状態で連結されてパネルユニットを構成しこれらが連結されてハウス状の構造体とされたプレハブハウスにおいて、床パネル，壁パネル４ａ，屋根パネル５ａが、長径方向の１対の角材４１，４２，５１を複数の角材で短径方向に接続してなるフレームと表面板を各々有して短径を所定の幅Ｘ又は幅Ｘ×２のサイズに統一されており、パネルユニットの隣接する長径方向の角材４１，４２，５１同士が互いに側面を密着した状態でボルト・ナット７０で締結されてその２倍幅の梁部５００，柱部４００を構成するものとした。【選択図】図５
2012225029.tif 000002
【特許請求の範囲】
【請求項１】
木材を長方形の平板状に形成したパネルがその短径方向に複数並列した状態で互いに連結されて方形状のパネルユニットを構成し、該パネルユニット同士が連結されてハウス状の構造体とされたものであって、床パネルを複数連結してなる床パネルユニットと、壁パネルを複数連結してなる壁パネルユニットと、屋根パネルを複数連結してなる屋根パネルユニットとを備えたプレハブハウスにおいて、
前記各パネルは、その長辺に沿って長径方向に配置した１対の角材を複数の角材で短径方向に接続してなるフレームと該フレームの少なくとも外面側の大部分を覆って所定厚さの板材を面一に張り付けてなる表面板を有し、且つ、前記フレームの短径が間隔調整用のものを除き所定の幅Ｘ又は幅Ｘ×２のサイズに統一されており、前記パネルユニットでは、隣接する前記パネルの長径方向の角材同士が互いに側面を密着した状態で短径方向に貫通したボルト・ナットで締結されて前記角材の２倍の幅の梁部又は柱部を構成している、ことを特徴とするプレハブハウス。
【請求項２】
前記壁パネルの長径方向の角材は、前記屋根パネルの長径方向の角材よりも幅広とされ、隣接する前記角材同士が前記ボルト・ナットで締結されたことで、前記屋根パネルの長径方向の角材を前記ボルト・ナットで締結してなる前記梁部を上から挿入可能な幅と深さの軸組み用溝を上面に形成した前記柱部を構成して、前記床パネルユニットの前記床パネル短径側で構成された側端部の上に立設した一対の前記壁パネルユニットのうち少なくとも一方の壁パネルユニットの上端部に前記屋根パネルユニットの端部側を被せたことで前記梁部が前記軸組み用溝に上から挿入された平面視直角方向の軸組み部を構成しており、該軸組み部が短径方向に貫通した前記ボルト・ナットで締結されて前記両パネルユニットを連結した仕口を形成している、ことを特徴とする請求項１に記載したプレハブハウス。
【請求項３】
前記間隔調整用のパネルには、前記フレームの短径を少なくとも前記長径方向の角材の幅分を足した長さにした前記屋根フレームユニットの側端部用屋根パネルが含まれ、該側端部用屋根パネルのフレームは、その短径方向の前記角材のうち少なくとも両端側のもの以外が前記軸組み用溝と略同一幅で該軸組み用溝の位置に対応した配置位置とされて、前記側端部用屋根パネルを前記壁パネルユニット上端部に被せることで前記軸組み用溝に前記短径方向の角材が挿入されて平面視直角方向の軸組み部を構成しており、該軸組み部が短径方向に貫通した前記ボルト・ナットで締結されて前記両パネルユニットを連結した仕口を形成している、ことを特徴とする請求項２に記載したプレハブハウス。
【請求項４】
前記壁パネルユニットは、基礎の上に固定された前記床パネルユニットの上面外周側で端縁に沿って所定間隔で上向きに突設してなる複数のボルトを、前記壁パネルの下端面を構成する前記短径方向の角材を上下に貫通してなるボルト孔に各々挿通させながら前記壁パネルが配置されているとともに各々ナットで締結して前記床パネルユニットに連結されており、前記ボルト孔が、その内周面と挿通した前記ボルトとの間に前記壁パネル短径方向の所定の隙間が形成される形状又はサイズとされて、前記ボルト・ナットの締結による固定前の段階で前記壁パネルが短径方向所定幅で移動可能とされている、ことを特徴とする請求項１，２または３に記載したプレハブハウス。
【請求項５】
前記間隔調整用のパネルには、前記フレームの短径が通常の前記パネルのフレームの短径から前記フレームの厚さ分を引いた長さとされた前記壁フレームユニットの側端部用壁パネル、又は前記フレームの短径が前記幅Ｘ×０．５とされた前記壁パネルが含まれる、ことを特徴とする請求項１，２，３または４に記載したプレハブハウス。
【請求項６】
前記壁パネルユニットの上端部と前記屋根パネルユニット下面側との間に、前記壁パネルユニットの上端幅と底辺の幅が略一致した三角形のアダプタパネルが介装されたことにより、前記屋根パネルユニットが傾斜して設けられている、ことを特徴とする請求項１，２，３，４または５に記載したプレハブハウス。
【請求項７】
前記床パネルユニットを構成する複数の前記床パネルと、前記壁パネルユニットを構成する複数の前記壁パネルと、前記屋根パネルユニットを構成する複数の前記屋根パネルとを少なくとも備えており、請求項１，２，３，４，５または６に記載したプレハブハウスを組立てるためのプレハブハウスの組立てキット。
【発明の詳細な説明】
【技術分野】
【０００１】
本発明は、プレハブハウス及びその組立てキットに関し、殊に、角材を組んだフレームに板材を張り付けてなる複数の木質パネル同士をボルト・ナットで連結することにより組立てるプレハブハウス、及びその組立てキットに関する。
【背景技術】
【０００２】
工場であらかじめ作成された床パネル、壁パネル、屋根パネル等を、現場で基礎の上に組み上げるだけで主な構造体部分が完成するプレハブハウスが周知であるが、これには本格的な永住型家屋のように完成までに比較的多くの手間と専門的な技術を要するもののほか、例えば仮設住宅、物置小屋のように専門的な技術を要することなく手作業で比較的容易に完成する簡易組立て式のものがある。
【０００３】
また、近年では壁部分や床部分を木質パネルで構成したプレハブハウスも普及しており、例えば木材を方形状に形成した壁パネルや床パネルをボルト等で複数連結してユニットとしたものを角材を立設してなる隅柱の間に配設する技術が、特開２００３−１１９９３１号公報や特開２００４―１９７３３６号公報に提案されている。
【０００４】
斯かる木質系のプレハブハウスは、最小構成単位であるパネルの材料に間伐材や端材を用いることができるため、森林資源の減少を最小限に抑えながら建築コストを低廉に抑えることができる。また、その壁部分や床部分を構成する方形状の各パネルは、幅や長さが共通した比較的小さいサイズに抑えられており、少ない種類で多様な形状のプレハブハウスを構成できるとともに、組立ての際に重機を要しない点を特徴としている。さらに、これらは互いの連結が素人でもボルト・ナット等で比較的簡単に行えるため、短期間で多数棟の組立て及び解体が必要になる災害時の仮設住宅にも適している。
【０００５】
ところが、このような木質パネルによるプレハブハウスを提案している前記両文献においても、屋根部分を構成する屋根パネルユニットを壁パネルユニット上端側に取付けるための簡易かつ具体的な方法が提案されていないため、実際の現場では一般的な家屋と同様の取付け方法が採用されることになり、この部分の組立てと解体に専門的な技術と手間を要する結果となっている。
【０００６】
また、前者の文献によるプレハブハウスは、１枚の壁パネルで壁の下端から上端まで構成することで、比較的少ない連結箇所にて壁パネルユニットが形成されるため組立ての手間は比較的少なく済む点を特徴としている。しかし、これには各壁パネルが剛性の高いフレーム構造を有していない関係で構造体としての強度が低くなりやすいという難点がある。
【０００７】
一方、後者の文献によるプレハブハウスの各壁パネルは、角材を略正方形に組んだフレームを有して剛性が高い点を特徴としている。しかしながら、これは壁の下端から上端まで複数の壁パネルを縦方向に連結する構成であるため、組立ての手間が余分にかかることに加え、縦方向の連結箇所が多いことが全体としての構造体の強度を低下させる原因となっている。
【先行技術文献】
【特許文献】
【０００８】
【特許文献１】特開２００３−１１９９３１号公報
【特許文献２】特開２００４―１９７３３６号公報
【発明の概要】
【発明が解決しようとする課題】
【０００９】
本発明は、上記のような問題を解決しようとするものであり、木質系プレハブハウスについて、構造体として高い強度を備えたものとしながら、その組立て及び解体が専門的技術を要することなく短時間で行えるようにすることを課題とする。
【課題を解決するための手段】
【００１０】
そこで、本発明は、木材を長方形の平板状に形成したパネルがその短径方向に複数並列した状態で互いに連結されて方形状のパネルユニットを構成し、そのパネルユニット同士が連結されてハウス状の構造体とされたものであって、床パネルを複数連結してなる床パネルユニットと、壁パネルを複数連結してなる壁パネルユニットと、屋根パネルを複数連結してなる屋根パネルユニットとを備えたプレハブハウスにおいて、前記各パネルは、その長辺に沿って長径方向に配置した１対の角材を複数の角材で短径方向に接続してなるフレームとそのフレームの少なくとも外面側の大部分を覆って所定厚さの板材を面一に張り付けてなる表面板を有し、且つ、そのフレームの短径が間隔調整用のものを除き所定の幅Ｘ又は幅Ｘ×２のサイズに統一されており、前記パネルユニットでは、隣接するパネルの長径方向の角材同士が互いに側面を密着した状態で短径方向に貫通したボルト・ナットで締結されてその角材の２倍の幅の梁部又は柱部を構成している、ことを特徴とするものとした。
【００１１】
このように、パネルユニットの構成単位である長方形のパネルを、長径方向に配置した角材の間を複数の角材で短径方向に接続してなるフレームを有したものとし、その長径方向の角材を隣接する角材とボルト・ナットで締結することでパネル同士を連結してパネルユニットを構成するものとしたことで、パネルユニットにおいてフレームの一部がその角材の２倍の幅を有した梁や柱を複数本形成して高い剛性を有したものとなり、且つ、長方形のパネルを用いたことでそのパネル長手方向の連結箇所を少なく抑えることも容易になり、構造体として高い強度を確保しやすくなるとともに、特別な技術を要さずに組立て・解体を容易に行えるものとなる。
【００１２】
また、このプレハブハウスにおいて、壁パネルの長径方向の角材は、屋根パネルの長径方向の角材よりも幅広とされ、隣接する角材同士がボルト・ナットで締結されたことで屋根パネルの長径方向の角材をボルト・ナットで締結してなる梁部を上から挿入可能な幅と深さの軸組み用溝を上面に形成した柱部を構成して、床パネルユニットの床パネル短径側で構成された側端部の上に立設した一対の壁パネルユニットのうち少なくとも一方の上端部に屋根パネルユニット端部側を被せたことで梁部が軸組み用溝に上から挿入された平面視直角方向の軸組み部を構成しており、この軸組み部が短径方向に貫通したボルト・ナットで締結されて両パネルユニットを連結した仕口を形成している、ことを特徴としたものとする。
【００１３】
これにより、隣接した壁パネル同士の上端部分を連結することと、隣接した屋根パネル同士の側端部分を連結することと、壁パネルユニット上端部と屋根パネルユニット側端部を連結することとが、一つの締結作業で同時に行われるため、作業の手間が大きく軽減されるとともに両パネルユニットを直角方向に連結した仕口部分の強度を確保しやすいものとなる。
【００１４】
この場合、その間隔調整用のパネルには、そのフレームの短径を少なくともその長径方向の角材の幅分を足した長さにした屋根フレームユニットの側端部用屋根パネルが含まれ、この側端部用屋根パネルのフレームは、その短径方向の角材のうち少なくとも両端側のもの以外が前記軸組み用溝と略同一幅でこれに対応した配置位置とされて、この側端部用屋根パネルを壁パネルユニット上端部に被せたことで軸組み用溝に短径方向の角材が挿入されて平面視直角方向の軸組み部を構成しており、この軸組み部が短径方向に貫通したボルト・ナットで締結されて両パネルユニットを連結した仕口部を形成している、ことを特徴としたものとすれば、屋根パネルユニットが壁パネルユニット上端の全周に亘って堅固に連結できるものとなる。
【００１５】
さらに、上述したプレハブハウスにおいて、その壁パネルユニットは、基礎の上に固定された床パネルユニットの上面外周側で端縁に沿って所定間隔で上向きに突設してなる複数のボルトを、壁パネルの下端面を構成する短径方向の角材を上下に貫通してなるボルト孔に各々挿通させながら壁パネルが配置されているとともに各々ナットで締結して床パネルユニットに連結されており、そのボルト孔が、その内周面と挿通したボルトとの間に壁パネル短径方向の所定の隙間が形成される形状又はサイズとされて、ボルト・ナットの締結による固定前の段階で壁パネルが短径方向所定幅で移動可能とされている、ことを特徴としたものとすれば、床パネルユニットの上で壁パネルを短径方向に順次連結する際に、床パネルと壁パネルのボルト・ナットによる連結を完全に固定しない仮止め状態にしておくことで、壁パネル同士のボルト・ナットの締結による連結作業がスムースに行われるものとなる。
【００１６】
さらにまた、上述したプレハブハウスにおいて、その間隔調整用のパネルには、そのフレームの短径が通常のパネルのフレームの短径からそのフレームの厚さ分を引いた長さとされた壁フレームユニットの側端部用壁パネル、又はフレームの短径が前記幅Ｘ×０．５とされた壁パネルが含まれる、ことを特徴としたものとすれば、少なくとも通常タイプの壁フレーム及び床フレームの長径を、幅Ｘの倍数の長さに設定可能としながら種々の調整を行いやすいものとなる。
【００１７】
加えて、上述したプレハブハウスにおいて、壁パネルユニットの上端部と屋根パネルユニット下面側との間に、壁パネルユニットの上端幅と底辺の幅が略一致した三角形のアダプタパネルが介装されたことにより、屋根パネルユニットが傾斜して設けられている、ことを特徴としたものとすれば、パネルの種類を過剰に増やすことなく傾斜屋根を容易に設けることができる。
【００１８】
また加えて、前記床パネルユニットを構成する複数の床パネルと、前記壁パネルユニットを構成する複数の壁パネルと、前記屋根パネルユニットを構成する複数の屋根パネルとを少なくとも備えてなる、上述したプレハブハウスを組立てるためのプレハブハウスの組立てキットとして提供することにより、これを購入するだけで建築の専門的技術を有さない者でも比較的容易に自分で組立てることができ、極めて低コストでプレハブハウスを完成させることができる。
【発明の効果】
【００１９】
並列したパネルで隣接する角材同士をボルト・ナットで締結することでパネルユニットとしながらフレーム長径方向の角材の２倍幅の梁や柱を構成するものとした本発明によると、構造体として高い強度を備えたものとしながら専門的技術を要することなくその組立て及び解体を短時間で行えるものである。
【図面の簡単な説明】
【００２０】
【図１】本発明における実施の形態であるプレハブハウスの組立て途中の状態を示す部分斜視図である。
【図２】（Ａ）は図１のプレハブハウスで使用する壁パネルを２枚連結した状態の背面図、（Ｂ）は（Ａ）の壁パネルの正面図、（Ｃ）は（Ｂ）の側面図である。
【図３】（Ａ）は図１のプレハブハウスで使用する屋根パネルを２枚連結した状態の底面図、（Ｂ）は（Ａ）の屋根パネルの平面図、（Ｃ）は（Ｂ）の側面図、（Ｄ）は（Ａ）の屋根パネルの連結部分において防水手段の一例を示す拡大した部分縦断面図である。
【図４】（Ａ）は図１のプレハブハウスで使用する床パネルを２枚連結した状態の底面図、（Ｂ）は（Ａ）の床パネルの平面図、（Ｃ）は（Ｂ）の側面図である。
【図５】（Ａ）は壁パネルユニットと屋根パネルユニットの連結部分の状態を説明するための斜め下方向から見た部分斜視図、（Ｂ）は床パネルユニット上で隣接した壁パネル同士、及び壁パネルと屋根パネルをボルト・ナットで締結する際の状態を説明するための拡大した部分背面図である。
【図６】基礎の上に固定した床パネルユニットの上に、壁パネルを配置する方法を説明するための平面図であり、一点鎖線は壁パネルユニットの上端側に屋根パネルユニットを連結する場合の想像図である。
【図７】屋根パネルユニットを傾斜した状態で連結する手段を説明するための部分背面図である。
【図８】屋根パネルユニットを傾斜した状態で連結する他の手段を説明するための部分背面図である。
【図９】屋根パネルユニットを傾斜した状態で連結するためのさらに異なる手段を説明するための部分背面図である。
【図１０】（Ａ）は図２の壁パネルの変形例としての窓付き壁パネルの正面図であり、（Ｂ）は図２の壁パネルの他の変形例としての２倍幅タイプの窓付き壁パネルの正面図であり、（Ｃ）は図２の壁パネルのさらに異なる変形例としての２倍幅タイプのドア付壁パネルの正面図である。
【図１１】図１のプレハブハウスにおいて、壁パネルユニットに内装ボードを取り付ける方法を説明するための部分斜視図である。
【図１２】（Ａ）は図２の壁パネルの変形例としての壁パネルを２枚連結した状態の背面図、（Ｂ）は（Ａ）の正面図である。
【発明を実施するための形態】
【００２１】
以下に、図面を参照しながら本発明を実施するための形態を説明する。尚、本発明において、プレハブハウスには永住型家屋のほか、仮設住宅、コテージ、物置小屋、さらには店舗用・事務所用・工場用・倉庫用等の業務用建物も含まれるものとする。また、パネルユニット同士の連結には、パネルユニットとして完成したもの同士を連結することのみならず、パネルユニットを構成するパネル単体を他のパネルユニット又はそれを構成するパネルに連結しながら結果的にパネルユニット同士が連結した状態になることも含まれるものとする。
【００２２】
図１は、本実施の形態のプレハブハウスの組立て途中の状態を示す部分斜視図である。本発明のプレハブハウスは、木材を所定厚さの長方形の平板状に形成したパネルを最小の構成単位としており、複数のパネルがその短径方向に並列した状態で互いに連結されてパネルユニットを構成し、複数種類のパネルユニット同士が連結されてハウス状の構造体を構成するものであり、その構成単位である各パネルを予め工場等で製作するとともに、１棟分の組立てキットとして提供することを想定している。
【００２３】
そのパネルユニットには、床パネル３ａ，３ｂを複数連結してなる床パネルユニット３Ａ、壁パネル４ａを複数連結してなる壁パネルユニット４Ａ、屋根パネル５ａ，５ｂを複数連結してなる屋根パネルユニット５Ａが含まれる。これらの各パネルを基礎の上でボルト・ナット７０を用いて連結しながら組み立てる簡易組立て方式を採用しており、その各パネルは単体のサイズは比較的小さく重量が比較的軽量であることから、重機を用いることなく人手で運搬したり持ち上げたりすることができ、且つ、専門的技術がなくても組立て・解体が比較的容易に行えるようになっている。
【００２４】
そして、本発明においては、最小構成単位である各パネルが、その長辺に沿って長径方向に配置した１対の角材が複数の角材で短径方向に接続され全体として略梯子状に形成されてなるフレームと、このフレームの少なくとも外面側の大部分を覆って所定厚さの板材を面一に張り付けてなる表面板を有している点を特徴としている。
【００２５】
また、そのフレームの短径は、間隔調整用のものを除き所定の幅Ｘ又は幅Ｘ２倍の幅に統一されている点も特徴としており、各パネルが前述のフレーム構造により剛性が高くなっていることに加え、短径方向の幅を共通にしたことで構成単位の種類数が少なく抑えられて、コストの低廉化と組立て及び解体作業の容易化を一層実現しやすいものとなっている。
【００２６】
尚、本実施の形態では、通常タイプパネルの短径の幅Ｘを６００ｍｍとし、床パネル３ａの長径と壁パネル４ａの長径（高さ）を幅Ｘ×４の２４００ｍｍにした場合を説明するが、その短径方向に並列配置するパネル数は任意であり、また、床パネル３ａは長径方向に複数接続することも可能である。
【００２７】
さらに、そのパネルから構成される各パネルユニットにおいて、隣接するパネルの長径方向の角材同士が互いに側面を密着した状態でこれらを短径方向に貫通したボルト・ナット７０で締結されて、その角材の２倍の幅の梁部又は柱部を構成する点も特徴としており、並列したパネルの連結部分で梁部や柱部が構成されたことが構造体全体としての強度を高める要因になっている。
【００２８】
図２（Ａ）は壁パネル４ａを２枚連結した状態の背面図、（Ｂ）は壁パネル４ａの正面図、（Ｂ）はその側面図を示している。壁パネル４ａは、その長辺に沿って長径方向に配置した１対の角材４１，４２を複数の角材４３，４４，４４，・・で接続してなる略梯子状のフレーム４０ａと、その表面側の大部分を覆って板材を張り付けてなる表面板４０ｃとを有している。また、角材４１，４２には短径方向に貫通したボルト孔４７，４５が、角材４２にはフレーム４０ａの厚さ方向に貫通したボルト孔４６が、各々長径方向所定間隔で複数設けられている。
【００２９】
そして、並列したフレーム４０ａ，４０ａにおいて、角材４２，４１が側面を密着させた状態にてボルト孔４５，４５を貫通したボルト・ナット７０で締結することにより、両壁パネル４ａ，４ａは短径方向に連結される。また、角材４２，４１が堅固な密着状態にて固定されることで、これらの２倍幅の柱部４００を形成することになり、且つ、角材４２，４１上端部に形成した切り欠き４１ａ，４２ａが一体となって、柱部４００上端部に軸組み用溝４００ａを形成する。
【００３０】
図３（Ａ）は屋根パネル５ａ，５ｂを連結した状態の底面図、（Ｂ）は屋根パネル５ａの平面図、（Ｂ）はその側面図を示している。屋根パネル５ａは、壁パネル４ａと同様に、その長辺に沿って長径方向に配置した１対の角材５１，５２を複数の角材５３，５４，５４，・・で接続してなる略梯子状のフレーム５０ａと、その表面側の大部分を覆って板材を張り付けてなる表面板５０ｃを有している。
【００３１】
また、フレーム５０ａ，５０ｂは、壁パネル４ａの角材４１，４２の長さＹよりも、少なくとも角材５３，５３の厚さ（４０ｍｍ×２）分＋アロワンス（６〜３０ｍｍ）分だけ長くなっており、屋根パネル５ａ，５ｂが壁パネルユニット４Ａ上端部に被さった状態で角材５３が鼻隠しとなって目隠し機能・防水機能を発揮するようになっている。
【００３２】
さらに、短径方向に貫通したボルト孔５７が各々長手方向所定間隔で穿設されて並列配置されている角材５２，５１がボルト・ナット７０で締結されたことで壁パネル５ａ，５ｂは短径方向に連結しており、この状態で角材５２，５１は一体となってこれら角材５２，５１の２倍幅の柱部５００を構成している。尚、このように長径方向にある程度のアロワンスを設けたことにより、屋根パネルユニットの他端側を持ち上げながら屋根を傾斜して設ける際に、角材５３の内側角部が壁パネルユニットの外面上端側に干渉するのを回避することができる。
【００３３】
また、屋根パネル５ａに並列している屋根パネル５ｂは、側端部用であるとともに間隔調整用のパネルであるが、そのフレーム５０ｂの短径は少なくとも角材５２の幅Ｚ（４０ｍｍ）分だけ屋根パネル５ａよりも大きく、角材５２が壁パネルの外面上端側の鼻隠しになるようになっている。また、その両端側を除く位置の短径方向の角材５５は、角材５４を２本束ねた状態の２倍幅とされており、長径方向にボルト孔５９が貫通して設けられている。
【００３４】
さらに、屋根パネル５ａ，５ｂは、その表面板５０ｃ，５０ｄの表面側を殆ど覆って、トタン等の防水・防蝕処理を施した金属薄板からなる防水板５０１，５０２が貼設されており、図３（Ｄ）の拡大した部分縦断面図に示すように、その端部側を短径方向の両端側を屈曲・起立させたリブ５０１ａ，５０２ｂ（反対側はリブ５０１ｂ，５０２ａ）とされており、これらによる屋根パネル５ａ，５ｂの連結部分をカバー体５０５で上から覆うように設けたことで、雨水の浸入を確実に防止できるようになっている。
【００３５】
図４（Ａ）は床パネル３ａ，３ｂを連結した状態の底面図、（Ｂ）は床パネル３ａの平面図、（Ｃ）は（Ｂ）の側面図を示しており、この床パネル３ａ，３ｂの構成は先述した図２の壁パネル４ａとほぼ同様であるが、角材３１，３１，３１，３２は長径方向の両端側で角材３３の側面に当接しているとともに、ボルト・ナット７０で締結され２倍幅になった柱部３００の先端側に軸組み用溝を形成しない点で異なる。
【００３６】
また、床パネル３ａ，３ｂは、両短辺側に短径方向所定間隔で上下（厚さ方向）に貫通して設けた複数のボルト孔３７を有しており、これに基礎上に立設したボルト７０ａを各々挿通した状態で配置されるようになっている。尚、床パネル３ｂは側端部用のパネルであり、そのフレーム３０ｂの外側の角材３２に長径方向所定間隔で上下に貫通した複数のボルト孔３７を有しており、この角材３２が基礎の上に載置されナット７０で締結・固定される。また、このボルト孔３７は、床パネル３ａ，３ｂの短径が６００ｍｍ、長径が６００ｍｍ×ｎである場合、３００ｍｍ間隔（端縁からは１５０ｍｍ）で２カ所配設することが設計及び施工の容易さの観点から推奨される。
【００３７】
図５（Ａ）は壁パネル４ａ，４ａと屋根パネル５ａ，５ａの連結部分を斜め下方向から見た斜視図であるが、例えば角材５１の幅を４０ｍｍとした場合に角材４１，４２の幅が各々７０ｍｍというように、壁パネル４ａの角材４１，４２は屋根パネル５ａの角材５１よりも各々幅広とされている。
【００３８】
即ち、短径方向に並列して連結した場合に、梁部５００が幅８０ｍｍで柱部４００が幅１４０ｍｍとなり、柱部４００上端に形成された幅８０ｍｍの軸組み用溝４００ａに、梁部５００の端部側が上から挿入されて堅固な軸組みを形成し、これらを短径方向に貫通したボルト・ナット７０で締結することで、各パネルを直角方向に連結した仕口が完成するようになっている。
【００３９】
このように、壁パネル４ａ，４ａと屋根パネル５ａ，５ａの端部をボルト・ナット７０で締結して直角方向に連結したことにより、これらパネルの短径方向の連結も同時に完了して堅固な構造体を構成することになり、組立て時の手間を大きく軽減しながら充分なる仕口部分の強度を確保することができる。
【００４０】
一方、図５（Ｂ）は、（Ａ）で示した連結部分の下側の状況を示すものであり、壁パネル４ａ，４ａの下端面から穿設したボルト孔４８，４８は、ボルト・ナット７０を構成するボルト７０ａの径（９ｍｍ）よりも大径（１５ｍｍ）とされており、ナット７０ｂを回して堅固に締結する前の仮止め段階で、壁パネル４ａ，４ａが左右（短径方向）に３ｍｍ前後遊動可能となっている。
【００４１】
即ち、角材４１，４１を貫通したボルト・ナット７０，７０，・・で締結する作業により、壁パネル４ａ，４ａは一点鎖線で示す中心部に引き寄せられて密着することから、その後に下端側を固定すればよいことになるため作業の手順が格段に容易になる。このように、壁パネル４ａ，４ａ下端側を床パネルユニット３Ａに固定するためのボルト孔４８，４８を、ボルト７０ａが左右方向に遊動可能な形状・サイズとしたことにより、壁パネル中心部寄せ締め工法とも言うべき画期的な工法を実現可能なものとなった。
【００４２】
図６は、基礎の上に固定した床パネルユニット３Ｂの上に壁パネルユニット４Ｂ，４Ｃ，・・を配置する方法を説明するための平面図を示している。壁パネル４ａはそのフレーム４０ａの外面側が床パネルユニット３Ｂの外面に対し面一になるように配置され、その表面板４０ｃが厚さ方向外側に突出している。
【００４３】
そして、床パネルユニット３Ｂのサイズが、例えば２４００ｍｍ×３０００ｍｍの場合、図中横方向に壁パネル４ａを５枚並列すれば幅が合致する。しかし、この壁パネル４ａのフレーム４０ａの厚さを５０ｍｍとした場合、縦方向の配置スペースの幅は２３５０ｍｍとなり、縦方向に短径６００ｍｍの壁パネル４ａを４枚並列配置すると５０ｍｍ突出してしまう。そこで、間隔調整用としてフレーム４０ａの厚さ分だけ短径が小さい壁パネル４ｂ（短径５５０ｍｍ）を配置することによりこの問題が容易に解決されるものとなり、他の角部においても適宜この壁パネル４ｂを介装すればよいことになる。
【００４４】
尚、図中の一点鎖線は、壁パネルユニット４Ｂ，４Ｃの上端部に屋根パネル５ａ，５ｂを配置して屋根パネルユニットも取り付ける場合の想像線を示しているが、その際、側端側の床パネル３ｂ上方に位置する幅広の屋根パネル５ｂは、先述したようにその両端側を除く短径方向の角材５５，・・が通常タイプの角材５４を２枚合わせた幅となっている。これが壁パネルユニット４Ｃで形成される各軸組み用溝４００ａの位置に対応した位置にて各々同一幅のものとなっており、軸組み用溝４００ａに挿入された状態で短径方向に貫通したボルト・ナット７０で締結されるようになっている。
【００４５】
図７は、屋根パネルユニット５Ｂを傾斜した状態で設ける手段の一例を示しているが、壁パネルユニット４Ａの上端部と屋根パネルユニット５Ｂの下面側との間に、図のような壁パネルユニット４Ａ上端の幅と底辺の幅が略一致した直角三角形状のアダプタパネル６を介装して連結することにより、屋根パネルユニット５Ｂを堅固な状態で容易に連結することが可能となる。
【００４６】
また、図８に示す壁パネルユニット４Ｄのようにその上端幅が長い場合は、アダプタパネル６とほぼ同様の形状の部材を２枚連結してなる二等片三角形状（山形）のアダプタパネル７を介装することで同様に対応することができる。さらに、図９に示すように、前述した三角形状のアダプタパネル６，７を設ける手段とは異なり、一端側を高く（例えば＋５０ｍｍ程度）して表面板が乗る上面側に所定の傾斜（例えば長径の２％程度）を設けた長径方向の角材５２ａ，５２ｂと、これに合わせて高くした端部側の短径方向の角材５３ａを有してなり上面が所定角度傾斜している屋根パネル５ｃを備えた屋根パネルユニット５Ｃを用いることにより、アダプタパネルを使用することなく壁パネルユニット４Ａ上端側に連結するだけで傾斜屋根を設けることができる。
【００４７】
図１０（Ａ）は、壁パネル４ａの変形例としての窓付き壁パネル４ｄ、（Ｂ）は２倍幅タイプの窓付き壁パネル４ｅ、（Ｃ）は２倍幅タイプのドア付壁パネル４ｆを示している。このように、壁パネル４ａと同一幅または２倍幅の壁パネルにおいて端部側の連結用構造が共通したフレームの長径方向の角材の間に窓やドアを設けることにより、壁パネル４ａと同じ手順でこれらの機能部分をプレハブハウスに容易に設けることができる。
【００４８】
尚、図示は省略するが、例えば図１０（Ｃ）の２倍幅の壁パネル４ｆに配置した略１．５倍幅のドア等を、そのまま１．５倍幅のパネルにして設ける場合には、０．５倍幅の壁パネルを間隔調整用としてこれに組み合わせればよく、このような半分幅（３００ｍｍ）の壁パネルは、例えば壁パネルユニットの幅を２７０ｍｍにするような場合にも使用することができる。
【００４９】
図１１は、壁パネルユニット４Ａに内装ボードを取り付ける手段の一例を示している。先述したように、壁パネル４ａにおいてフレーム４０ａの一方の長径方向の角材４２に、フレーム４０ａの厚さ方向に貫通したボルト孔４６が長径方向所定間隔で複数設けられていることから、その各ボルト孔４６に挿入可能な径の嵌込み係止棒８０ｂを各対応位置にて化粧板８０ａ内側面から複数突設してなる内装ボード８０を複数枚用意して、片重ね式に順次取り付けるようにすればよい。尚、その嵌込み係止棒８０ｂは外周側をゴム等で形成して弾性変形しながら嵌入・固定されるようにすれば、着脱に工具を要することなく短時間で作業を完了することができる。
【００５０】
図１２は壁パネル４ａの変形例としての壁パネル４ｇを示しており、（Ａ）は壁パネル４ｇを２枚連結した状態、（Ｂ）はその正面図を示している。先述した壁パネル４ａの表面板４０ｃはフレーム４０ａよりも短径が小さく（５２０ｍｍ）、正面視で左右４０ｍｍずつフレーム４０ａを露出させていていたのに対し、この壁パネル４ｇは（Ｂ）に示すように、表面板４０ｄが図においてフレーム４０ａの右側端縁線よりも僅かに（１０ｍｍ程度）外側に突出しており、壁パネル４ｇ同士を並列状態で連結した場合に、この突出部分で左右の壁パネル４ｇ，４ｇの繋ぎ目が隠れるようになっており、その部分から隙間風や雨水が侵入しにくくなっている。
【００５１】
以上のように、本発明によるプレハブハウスは、これを構成する各パネル同士、各パネルユニット同士が、ボルト・ナットのみを用いて連結される構成であり、そのパネルの種類数も最小限に抑えられたものであるため、建築の素人でも重機を要さずに強度に優れた構造体を短期間で組立てることができ、殊に、壁パネルユニットと屋根パネルユニットとの連結は、簡易な手順で行われて堅固な仕口を形成できるようになっている。
【００５２】
また、このように、パネルの種類が少なくサイズもほぼ共通しているということは、使用後の解体及び撤収作業、組立キットの保存・管理についても比較的容易になる。さらに、各パネルは間伐材や端材を使用しながら低コスト且つ短時間で大量に作成することが可能であることも大きな利点である。そのため、本発明によるプレハブハウスは、地震等の大規模災害時に使用する仮設住宅にも最適なものとなっている。
【００５３】
尚、上述した実施の形態では、各パネルにおける通常タイプの短径方向の幅が６００ｍｍ、柱部の幅が１４０ｍｍ、梁部の幅が８０ｍｍである場合を説明したが、本発明はこれに限定されるものではなく、また、床パネルユニットの長径・短径は６００ｍｍ×ｎのタイプに限定されないことは言うまでもない。
【００５４】
以上、述べたように、木質系プレハブハウスについて、本発明により、構造体として高い強度を備えたものとしながら、その組立て及び解体が専門的技術を要することなく短時間で行えるようになった。
【符号の説明】
【００５５】
３Ａ，３Ｂ  床パネルユニット、３ａ，３ｂ  床パネル、４Ａ，４Ｂ，４Ｃ，４Ｄ  壁パネルユニット、４ａ，４ｂ，４ｄ，４ｅ，４ｆ，４ｇ  壁パネル、５Ａ，５Ｂ，５Ｃ  屋根パネルユニット、５ａ，５ｂ，５ｃ  屋根パネル、６，７  アダプタパネル、３０ａ，３０ｂ，４０ａ，４０ｂ，５０ａ，５０ｂ  フレーム、３０ｃ，３０ｄ，４０ｃ，４０ｄ，５０ｃ，５０ｄ  表面板、３１，３２，３３，３４，４１，４２，４３，４４，５１，５２，５２ａ，５２ｂ，５３，５３ａ，５４，５５  角材、３５，３６，３７，４５，４６，４７，４８，５７，５９  ボルト孔、７０  ボルト・ナット、３００，５００  梁部、４００  柱部、４００ａ  軸組み用溝
【図１】
2012225029.tif 000003
【図２】
2012225029.tif 000004
【図３】
2012225029.tif 000005
【図４】
2012225029.tif 000006
【図５】
2012225029.tif 000007
【図６】
2012225029.tif 000008
【図７】
2012225029.tif 000009
【図８】
2012225029.tif 000010
【図９】
2012225029.tif 000011
【図１０】
2012225029.tif 000012
【図１１】
2012225029.tif 000013
【図１２】
2012225029.tif 000014